(57)【要約】【課題】衛星ＳＮを受信可能なユーザーにとっても衛星ＳＮを受信できないユーザーにとっても、視聴環境を快適なものに改善する【解決手段】少なくとも地デジとＢＳ放送とを受信可能なテレビジョン１００において、地域と各地域における地上デジタル放送の放送局と地デジ難視対策衛星放送の放送局との対応関係を記憶した不揮発性メモリ７０ｃを備えており、制御部７０は、衛星ＳＮの受信条件を満たす場合に衛星ＳＮのチャンネルスキャンを実行し、テレビジョン１００の設置されている地域の入力を受付け、入力された地域において地デジの各チャンネルを対応付けるべきリモコン６０のワンタッチ選局ボタンに、上記対応関係に基づいて、上記チャンネルスキャンによって取得された衛星ＳＮの各チャンネルを、それぞれ対応付ける。【選択図】図１５
2012044466.tif 000002
【特許請求の範囲】
【請求項１】
少なくとも地上デジタル放送とＢＳ（Broadcasting Satellite）放送とを受信可能な放送信号受信装置において、
上記地上デジタル放送のワンタッチ選局ボタンを備えた操作部と、
地デジ難視対策衛星放送の鍵開けを検知するとその旨と上記地デジ難視対策衛星放送のチャンネルスキャンが可能になった旨を表示部に表示する表示制御部と、
本放送信号受信装置の設置されている地域の入力を受付ける地域入力部と、
地域と各地域における地上デジタル放送の放送局と地デジ難視対策衛星放送の放送局との対応関係を記憶した記憶部と、
上記鍵開けを検知するまでは上記地デジ難視対策衛星放送のチャンネルスキャンの操作項目を表示せず、上記鍵開けを検知すると上記操作項目を表示し、上記鍵開け後に上記操作項目によりチャンネルスキャンが指示されると上記地デジ難視対策衛星放送のチャンネルスキャンを実行し、当該チャンネルスキャンによって取得した地デジ難視対策衛星放送の各チャンネルを、上記対応関係に基づいて、上記地域入力部の受付けた地域において上記地上デジタル放送の各チャンネルを対応付けるべき上記ワンタッチ選局ボタンにそれぞれ対応付ける制御部と、
を備えることを特徴とする放送信号受信装置。
【請求項２】
上記地デジ難視対策衛星放送の受信条件は、少なくともＢ−ＣＡＳ（Broadcasting Satellite Conditional Access Systems Co.,Ltd.）カードの装着と上記ＢＳ放送の放送波の検出と上記地デジ難視対策衛星放送の鍵開けの完了とを含んで構成される請求項１に記載の放送信号受信装置。
【請求項３】
上記制御部は、上記地デジ難視対策衛星放送のチャンネルを上記ワンタッチ選局ボタンに対応付けた場合に、上記ＢＳ放送のチャンネルスキャンの対象チャンネルから上記地デジ難視対策衛星放送のチャンネルを除外する請求項１または請求項２に記載の放送信号受信装置。
【請求項４】
上記制御部は、上記地デジ難視対策衛星放送の受信条件を満たさない場合に、上記ＢＳ放送のチャンネルスキャンの対象チャンネルから上記地デジ難視対策衛星放送のチャンネルを除外する請求項１〜請求項３のいずれか１項に記載の放送信号受信装置。
【請求項５】
上記制御部は、上記地デジ難視対策衛星放送のチャンネルを上記ワンタッチ選局ボタンに対応付けた場合に、上記ＢＳ放送の電子番組表から上記地デジ難視対策衛星放送の電子番組表を除外する請求項１〜請求項４のいずれか１項に記載の放送信号受信装置。
【請求項６】
上記制御部は、上記地デジ難視対策衛星放送の受信条件を満たさない場合に、上記ＢＳ放送の電子番組表から上記地デジ難視対策衛星放送の電子番組表を除外する請求項１〜請求項５のいずれか１項に記載の放送信号受信装置。
【請求項７】
上記制御部は、上記地デジ難視対策衛星放送のチャンネルを上記ワンタッチ選局ボタンに対応付けた場合には、上記地デジ難視対策衛星放送の電子番組表を上記地上デジタル放送の電子番組表に代えて表示する請求項１〜請求項６のいずれか１項に記載の放送信号受信装置。
【請求項８】
上記制御部は、上記地デジ難視対策衛星放送の受信条件を満たす場合に、上記地域入力部の受付けた地域において本来であれば上記ワンタッチ選局ボタンに割当てられるべき上記地上デジタル放送のチャンネルの電子番組表に代えて、上記ワンタッチ選局ボタンに割当てられた上記地デジ難視対策衛星放送のチャンネルの電子番組表を表示する請求項１〜請求項７のいずれか１項に記載の放送信号受信装置。
【発明の詳細な説明】
【技術分野】
【０００１】
本発明は、放送信号受信装置に関し、特に、少なくとも地上デジタル放送とＢＳ放送とを受信可能な放送信号受信装置に関する。
【背景技術】
【０００２】
近年、地上デジタル放送やＢＳデジタル放送などのようにテレビ放送がデジタル化されたことに伴い、従来の地上アナログ放送で一般的であった１２ボタンのチャンネルボタンを超えるチャンネルが放送されるようになっている。また、放送波の種類（地上デジタル放送、地上アナログ放送、衛星放送、ＣＡＴＶ放送等）の多様化に伴い、放送態様間で同じ番組が放送されることも多くなっている。これらを活用する技術として、例えば、特許文献１〜５がある。
【０００３】
特許文献１では、同一のチャンネルボタンに複数のチャンネルを割当てるなど、チャンネルの割当て方法が工夫されている。特許文献２では、複数の方式で放送されている同一放送（例えば地上デジタル放送とＢＳ放送）を切換えて表示できるようにしている。特許文献３では、地上デジタル放送の代替チャンネルを設定している。特許文献４では、ＣＡＴＶチューナーと地上波チューナーを搭載したデジタル放送受信装置において使用者の操作したチャンネルが未登録の場合に他方のチューナーのチャンネルを代わりに選択している。特許文献５では、ＣＡＴＶ向けにパススルーされた地上デジタル放送がどの周波数帯にあるか特定する技術が開示されている。
【０００４】
ところで、複数の方式で行われる放送の一種として、２０１０年３月１１日より、地デジ難視対策の一環としてＢＳデジタル放送にて関東広域局（ＮＨＫ（Nippon Hoso Kyokai (Japan Broadcasting Corporation)）の２局と民間放送局の５局をあわせた計７局）が放送されている。この放送を地デジ難視対策衛星放送もしくは衛星セーフティネット（以下、衛星ＳＮ放送と略す。）と呼び、総務省のホワイトリストに掲載される世帯のみ（視聴総世帯数である約５０００万世帯の中の約数十万世帯）が視聴可能である。
【先行技術文献】
【特許文献】
【０００５】
【特許文献１】特開２００４−２８９４６４号公報
【特許文献２】特開２００８−０２２０４７号公報
【特許文献３】特開２００４−２４１９８３号公報
【特許文献４】特開２００８−１４１５７１号公報
【特許文献５】特開２００５−３１８１８２号公報
【発明の概要】
【発明が解決しようとする課題】
【０００６】
衛星ＳＮは、結果として視聴できない世帯が大多数であり、視聴可能世帯と視聴不可世帯とで最適な使用環境や設定環境が異なるため、視聴可能世帯と視聴不可世帯との双方にとって最適な視聴環境となるように工夫する必要がある。
【０００７】
本発明は、上記課題に鑑みてなされたものであり、衛星ＳＮを受信可能なテレビジョンにおいて、衛星ＳＮの受信条件の充足状況に応じてテレビジョンの設定を適宜に調整するための機能を備えることにより、衛星ＳＮを受信可能なユーザーにとっても衛星ＳＮを受信できないユーザーにとっても、視聴環境を快適なものに改善することが可能な放送信号受信装置の提供を目的とする。
【課題を解決するための手段】
【０００８】
本発明にかかる放送信号受信装置は、少なくとも地上デジタル放送とＢＳ放送とを受信可能な放送信号受信装置であって、上記地上デジタル放送のワンタッチ選局ボタンを備えた操作部と、地デジ難視対策衛星放送の鍵開けを検知するとその旨と上記地デジ難視対策衛星放送のチャンネルスキャンが可能になった旨を表示部に表示する表示制御部と、本放送信号受信装置の設置されている地域の入力を受付ける地域入力部と、地域と各地域における地上デジタル放送の放送局と地デジ難視対策衛星放送の放送局との対応関係を記憶した記憶部と、上記鍵開けを検知するまでは上記地デジ難視対策衛星放送のチャンネルスキャンの操作項目を表示せず、上記鍵開けを検知すると上記操作項目を表示し、上記鍵開け後に上記操作項目によりチャンネルスキャンが指示されると上記地デジ難視対策衛星放送のチャンネルスキャンを実行し、当該チャンネルスキャンによって取得した地デジ難地対策衛星放送のチャンネルを、上記対応関係に基づいて、上記地域入力部の受付けた地域において上記地上デジタル放送の各チャンネルを対応付けるべき上記ワンタッチ選局ボタンにそれぞれ対応付ける制御部と、を備える構成としてある。
【０００９】
上記構成において、ワンタッチ選局ボタンとは、チャンネルを選局するために設けられた複数の選局ボタンであって、本発明では、地上デジタル放送のチャンネルを割当てるために設けられたものである。ただし、地上デジタル放送のチャンネルに限らず、他の放送波のチャンネルを登録しても、むろん構わない。ワンタッチ選局ボタンの各ボタンを操作すると、そのボタンに対応付けられている１のチャンネルが選局される。従って、上記構成のように、地デジ難視対策衛星放送のチャンネルを対応付けられたボタンをユーザーが操作すると、操作されたボタンに対応付けられていた上記地デジ難視対策衛星放送のチャンネルが選局される。
【００１０】
上記構成において、地域入力部は、上記放送信号受信装置の設置されている地域を、ユーザーに入力させたり、予め入力されて放送信号受信装置内に記憶されている地域情報を利用したりして、特定する。上記記憶部には地域と各地域において放送される地上デジタル放送の放送局との対応関係が記憶されているので、地域入力部の特定した地域に基づいて上記放送信号受信装置の設置されている地域、すなわちユーザーの居住地域における地上デジタル放送の放送局の一覧を特定することができる。また、記憶部には、各地域における地上デジタル放送の放送局と地デジ難視対策衛星放送の放送局との対応関係もきおくされているので、地域に基づいて特定された地上デジタル放送の放送局の一覧の各放送局について、地デジ難視対策衛星放送のいずれの放送局に対応するかを特定することができる。この対応関係とは、いわゆる系列関係であって、共通する番組を放送している可能性の高い放送局同士が対応付けられている。
【００１１】
また、地デジ難視対策衛星放送が受信できないとき（鍵が閉じているとき）には、地デジ難視対策衛星放送を特定したチャンネルスキャンを行えないようにし、地デジ難視対策衛星放送が受信できるようになって（鍵開けされて）初めてチャンネルスキャンを可能とする。また、これと連動させて、鍵開けを検知すると、地デジ難視対策衛星放送のチャンネルスキャンが可能になったことを通知している。よって、鍵開け前は、実行できない機能を実行できないようにしてユーザーの混乱を防止し、鍵開けをトリガーとして鍵開けの通知と地デジ難視対策衛星放送のチャンネルスキャンが可能になったことの通知を行うことで、ユーザーの利便性を向上させている。
【００１２】
上記制御部は、地デジ難視対策衛星放送のチャンネルスキャンによって取得した地デジ難視対策衛星放送のチャンネルを上記ワンタッチ選局ボタンに割り付けるが、このとき、地上デジタル放送のチャンネルと同様の系列関係がワンタッチ選局ボタンに再現されるようにチャンネルの割り付けを行う。よって、ユーザーは、その地域における地上デジタル放送を選局するときと同じ操作を行って、ほぼ同様の番組が放送されている放送局を選局することができる。
【００１３】
なお、上記構成において、地デジ難視対策衛星放送の受信条件とは、地デジ難視対策衛星放送の受信資格のあることと、地デジ難視対策衛星放送を受信するための機器構成が整っていること、である。受信資格は、総務省のホワイトリストに登録されたユーザーの所有する放送信号受信装置であること、すなわち、地デジ難視地区に居住するユーザーの所有する放送信号受信装置であることである。地デジ難視対策衛星放送を受信するための機器構成とは、ＢＳ放送を受信可能であり、Ｂ−ＣＡＳ（Broadcasting Satellite Conditional Access Systems Co., Ltd.）カードが装着されており、このＢ−ＣＡＳカードの鍵開けが終了していること、である。すなわち、上記地デジ難視対策衛星放送の受信条件は、少なくともＢ−ＣＡＳカードの装着と上記ＢＳ放送の放送波の検出と上記地デジ難視対策衛星放送の鍵開けの完了とを含むこと、になる。
【００１４】
本発明の選択的な一態様として、上記制御部は、上記地デジ難視対策衛星放送のチャンネルを上記ワンタッチ選局ボタンに対応付けた場合に、上記ＢＳ放送のチャンネルスキャンの対象チャンネルから上記地デジ難視対策衛星放送のチャンネルを除外する構成としてある。
地デジ難視対策衛星放送は、ＢＳ放送の一部として放送されているため、ＢＳ放送の全チャンネルに対してチャンネルスキャンを実行すると、ＢＳ放送で重複して地デジ難視対策衛星放送のチャンネルが発見され、登録されてしまう。本態様によれば、このような重複検索や重複登録を防止することにより、処理の高速化やメモリーの効率化を実現しつつ、地デジ難視地区の視聴環境を地デジ難視地区外の視聴環境に可能な限り近づけることを可能とする。
【００１５】
本発明の選択的な一態様として、上記制御部は、上記地デジ難視対策衛星放送の受信条件を満たさない場合に、上記ＢＳ放送のチャンネルスキャンの対象チャンネルから上記地デジ難視対策衛星放送のチャンネルを除外する構成としてある。
当該構成によれば、地デジ難視地区以外のユーザーが本発明にかかる放送信号受信装置を使用する場合に、ＢＳ放送のチャンネルスキャンを行ったときに地デジ難視対策衛星放送が検出されるにも関わらず受信できないことに当惑したり、誤って受信してしまったりすることを防止できる。よって、地デジ難視地区以外のユーザーに、従来の放送信号受信装置と同じ視聴環境を提供することができる。
【００１６】
本発明の選択的な一態様として、上記制御部は、上記地デジ難視対策衛星放送のチャンネルを上記ワンタッチ選局ボタンに対応付けた場合に、上記ＢＳ放送の電子番組表から上記地デジ難視対策衛星放送の電子番組表を除外する構成としてある。
地デジ難視対策衛星放送は、ＢＳ放送の一部として放送されているため、ＢＳ放送のＳＩ（Service Information）に含めて電子番組表（ＥＰＧ）が送信される。地上デジタル放送の選局ボタンに地デジ難視対策衛星放送のチャンネルを対応付けたにもかかわらず、ＢＳ放送の電子番組表の中に地デジ難視対策衛星放送の電子番組表が表示されるのは好ましくない。そこで、ＢＳ放送の電子番組表から地デジ難視対策衛星放送の電子番組表を除外することにより、視聴環境を地デジ難視地区外に近づけ、視聴環境を良好にすることができる。
【００１７】
本発明の選択的な一態様として、上記制御部は、上記地デジ難視対策衛星放送の受信条件を満たさない場合に、上記ＢＳ放送の電子番組表から上記地デジ難視対策衛星放送の電子番組表を除外する構成としてある。
当該構成によれば、地デジ難視地区以外のユーザーが本発明にかかる放送信号受信装置を使用する場合に、ＢＳ放送の電子番組表の中に地デジ難視対策衛星放送の電子番組表が検出されることに当惑することを防止できる。よって、地デジ難視地区以外のユーザーに、従来の放送信号受信装置と同じ視聴環境を提供することができる。
【００１８】
本発明の選択的な一態様として、上記制御部は、上記地デジ難視対策衛星放送のチャンネルを上記ワンタッチ選局ボタンに対応付けた場合には、上記地デジ難視対策衛星放送の電子番組表を上記地上デジタル放送の電子番組表に代えて表示する構成としてある。
地デジ難視対策衛星放送のチャンネルを地上デジタル放送の選局ボタンに対応付けると、地上デジタル放送を受信しているのと同じ感覚で地デジ難視対策衛星放送を視聴することになる。このとき、電子番組表を表示しようとすると、地上デジタル放送そのものは受信できないため、電子番組表が表示されない。そこで、本態様のように、ＢＳ放送の放送波から取得した地デジ難視対策衛星放送の電子番組表を、地上デジタル放送の電子番組表として保存し、地上デジタル放送の電子番組表を呼び出されたときに、地デジ難視対策衛星放送の電子番組表を代わりに表示する。このようにすると、ユーザーの視聴環境を改善することができる。
【００１９】
本発明の選択的な一態様として、上記制御部は、上記地デジ難視対策衛星放送の受信条件を満たす場合に、上記地域入力部の受付けた地域において本来であれば上記ワンタッチ選局ボタンに割当てられるべき上記地上デジタル放送のチャンネルの電子番組表に代えて、上記ワンタッチボタンに割当てられた上記地デジ難視対策衛星放送のチャンネルの電子番組表を表示する構成としてある。
当該構成によれば、地上デジタル放送の電子番組表の代わりに表示する地デジ難視対策意衛星放送の電子番組表の構成が、上述した系列関係を反映したものとなる。従って、地デジ難視地区の内外で電子番組表の表示が可能な限り類似したものとなり、また、地デジ難視地区で地上デジタル放送を視聴できるようになったときに、その前後で表示される電子番組表が可能な限り類似したものとなる。よって、ユーザーの視聴環境が改善される。
【００２０】
上述した放送信号受信装置は、他の機器に組み込まれた状態で実施されたり他の方法とともに実施されたりする等の各種の態様を含む。また、本発明は上記放送信号受信装置を備える放送信号受信システム、上述した装置の構成に対応した工程を有する放送信号受信制御方法、上述した装置の構成に対応した機能をコンピュータに実現させる放送信号受信プログラム、該放送信号受信プログラムを記録したコンピュータ読み取り可能な記録媒体、等としても実現可能である。これら放送信号受信システム、放送信号受信方法、放送信号受信プログラム、該放送信号受信プログラムを記録した媒体、の発明も、上述した作用、効果を奏する。
【発明の効果】
【００２１】
以上説明したように本発明によれば、地デジ難視対策衛星放送を受信可能なテレビジョンにおいて、視聴環境を快適なものに改善することが可能な放送信号受信装置を提供することができる。
また、請求項２にかかる発明によれば、視聴環境をさらに改善することができる。
また、請求項３にかかる発明によれば、視聴環境をさらに改善することができる。
また、請求項４にかかる発明によれば、視聴環境をさらに改善することができる。
また、請求項５にかかる発明によれば、視聴環境をさらに改善することができる。
また、請求項６にかかる発明によれば、視聴環境をさらに改善することができる。
また、請求項７にかかる発明によれば、視聴環境をさらに改善することができる。
また、請求項８にかかる発明によれば、視聴環境をさらに改善することができる。
【図面の簡単な説明】
【００２２】
【図１】テレビジョンの構成を示すブロック図である。
【図２】制御部の内部構成を示すブロック図である。
【図３】リモコンのキー配置を示す外観図である。
【図４】実施例１にかかる視聴環境設定の流れを示すフローチャートである。
【図５】ＩＣカードの装着を促すメッセージの一例である。
【図６】初期設定の開始をユーザーに通知するメッセージの一例である。
【図７】衛星ＳＮの受信対象者か問合せるメッセージの一例である。
【図８】衛星ＳＮを地デジのワンタッチ選局ボタンに割り当てるか問合せる画面の一例である。
【図９】ＢＳ放送のチャンネルリストから衛星ＳＮを除外するか問合せる画面の一例である。
【図１０】鍵開けを監視する監視処理の流れを示すフローチャートである。
【図１１】実施例２にかかる設定処理の流れを示すフローチャートである。
【図１２】衛星ＳＮの鍵開け等を通知するメッセージの一例である。
【図１３】衛星ＳＮの鍵開け前のチャンネル設定メニューの一例であり。
【図１４】衛星ＳＮの鍵開け後のチャンネル設定メニューの一例である。
【図１５】変更内容をユーザーに確認するメッセージの一例である。
【図１６】実施例３にかかる設定処理の流れを示すフローチャートである。
【図１７】地域を特定するための画面の一例である。
【図１８】実施例３にかかるチャンネル割当て結果の表示の一例である。
【図１９】入力済みの地域情報を利用したチャンネル割当ての表示の一例である。
【図２０】実施例４にかかるチャンネル割当て結果の表示画面の一例である。
【図２１】実施例５にかかる監視処理の流れを示すフローチャートである。
【図２２】実施例５にかかる通知処理の流れを示すフローチャートである。
【図２３】鍵の閉じたことを通知するメッセージの一例である。
【図２４】自動で地デジのチャンネルスキャンを行うかの設定メニュー画面の一例である。
【図２５】チャンネル割当ての無いワンタッチ選局ボタンが操作されたときに表示するメッセージの一例である。
【発明を実施するための形態】
【００２３】
以下、下記の順序に従って本発明の実施例を説明する。
（１）放送信号受信装置の構成：
（２）視聴環境設定の実施例１：
（３）視聴環境設定の実施例２：
（４）視聴環境設定の実施例３：
（５）視聴環境設定の実施例４：
（６）視聴環境設定の実施例５：
【００２４】
（１）放送信号受信装置の構成： 
図１は、本実施例にかかる放送信号受信装置としてのテレビジョンの構成を示すブロック図である。同図に示すテレビジョン１００は、地上デジタル放送と、地上アナログ放送と、ＢＳデジタル放送と、広帯域（１１０°）ＣＳ放送とを受信可能である。なお、本実施例における「地デジ」は本発明の地上デジタル放送を構成し、本実施例における「ＢＳ放送」は本発明の衛星放送を構成する。また、日本では、地デジ難視対策の放送をＢＳ放送で行っているが、むろん、他の放送波であってＢＳデジタル放送と同様に後述の鍵などにより視聴制限をかけることが可能な放送であれば、地デジ難視対策の放送を行うことができる。
【００２５】
なお、以下では、地上デジタル放送を「地デジ」と略し、地上アナログ放送を「地アナ」と略し、ＢＳデジタル放送を「ＢＳ放送」と略し、広帯域ＣＳ放送を「ＣＳ放送」と略し、地デジ難視対策衛星放送を「衛星ＳＮ」と略すことにする。また、以下ではＢＳ放送とＣＳ放送とをまとめて衛星放送と記載することがある。
【００２６】
図１に示すように、テレビジョン１００は、ＢＳ放送やＣＳ放送の周波数信号が含まれた衛星放送信号Ｓｓを入力するための衛星インターフェース１０（衛星ＩＦ１０）と、衛星放送信号Ｓｓからトランスポートストリーム（以下、「ＴＳ」と略す。）を復号するための衛星フロントエンド１１と、地デジや地アナの周波数信号が含まれた地上放送信号Ｓｇを入力するための地上インターフェース２０（地上ＩＦ２０）と、地上放送信号Ｓｇに含まれる地デジ放送の周波数信号である地デジ放送信号ＳｇｄからＴＳを復号するための地上フロントエンド２１と、地上放送信号Ｓｇに含まれる地アナ放送信号Ｓｇａから映像信号と音声信号を取り出すためのアナログチューナー２２と、を備えている。
【００２７】
衛星ＩＦ１０は、接続ケーブルによってコンバーターＣと接続される。コンバーターＣは、パラボラアンテナやフィードホーンを備える衛星受信アンテナＡｓに接続されており、衛星受信アンテナＡｓの受信信号から含む衛星放送信号Ｓｓを抽出し、接続ケーブルを介して衛星ＩＦ１０へ出力する。衛星フロントエンド１１は、衛星ＩＦ１０に入力される衛星放送信号Ｓｓから１または複数のチャンネルを選局し、選局したチャンネルに含まれる放送信号を所定の伝送路符号化方式により復号してＴＳを得るとともに、このＴＳを後段に出力する。
【００２８】
なお、本実施例では、衛星受信アンテナＡｓとコンバーターＣと衛星フロントエンド１１とを、ＢＳ放送とＣＳ放送とで共用に構成してあるが、むろん、これらの一部または全部をＢＳ放送とＣＳ放送とで個別に構成してもかまわない。また、本実施例では、衛星受信アンテナＡｓとコンバーターＣをテレビジョン１００に外付けする構成としてあるが、むろん、テレビジョン１００と一体化しても構わない。また、コンバーターＣは、衛星受信アンテナＡｓと一体に構成されていても構わない。
【００２９】
地上ＩＦ２０は、地上受信アンテナＡｇと接続ケーブルによって接続される。地上受信アンテナＡｇは、地上放送信号Ｓｇを受信して、接続ケーブルを介して地上ＩＦ２０へ出力する。地上フロントエンド２１は、地上ＩＦ２０に入力される地上放送信号Ｓｇから地デジの放送されている１または複数のチャンネルを選局し、選局したチャンネルに含まれる放送信号を所定の伝送路符号化方式により復号してＴＳを得るとともに、このＴＳを後段に出力する。
【００３０】
アナログチューナー２２は、地上ＩＦ２０に入力される地上放送信号Ｓｇから地アナの放送されている何れかのチャンネルを選局し、選局したチャンネルに含まれる放送信号から映像信号や音声信号を検波するとともに、検波した映像信号や音声信号を後段に出力する。
【００３１】
また、図１に示すように、テレビジョン１００は、ＴＳから各種情報を復号化する情報源復号化部としての機能を備えたデコーダ３０を備えている。デコーダ３０は、Ｂ−ＣＡＳ（Broadcasting Satellite Conditional Access Systems Co.,Ltd.）カード２００を装着するスロットを備えたカードスロット３１と、ＣＡデスクランブルを行うコンディショナルアクセスデスクランブラ３２（ＣＡデスクランブラ３２）と、ＣＡデスクランブルされたＴＳを映像・音声・データの各コンポーネントに分離するＭＰＥＧ２デマックス３３と、映像復号部３４と、音声復号部３５と、ＥＰＧ等の基本データを復号する基本データ復号部３６と、を備えている。
【００３２】
ＣＡデスクランブラ３２は、加入者毎の個別情報であるＥＭＭ（Entitlement Management Message）を受信すると、これをカードスロット３１に装着されているＢ−ＣＡＳカード２００に転送する。Ｂ−ＣＡＳカード２００はＩＣチップを備えており、その内部にフラッシュメモリ等の等の記憶媒体２００ａを備えている。Ｂ−ＣＡＳカード２００は、この記憶媒体２００ａに予め記憶されているマスター鍵Ｋｍを利用してＥＭＭを復号し、契約情報ＣＩやワーク鍵Ｋｗ等の関連情報ＲＩを取得する。そして、取得した関連情報ＲＩを、記憶媒体２００ａに記憶する。
【００３３】
ここでマスター鍵Ｋｍの特性について説明する。Ｂ−ＣＡＳカード２００は、固有のＩＤ番号を付与されており、各受信機に同梱されるなどして各ユーザーの手元に届く。各Ｂ−ＣＡＳカード２００の記憶媒体２００ａには、予めそのＩＤ番号に対応する固有のマスター鍵Ｋｍが記憶されている。そして、ユーザーが、所定の認証機関にそのＢ−ＣＡＳカード２００のＩＤ番号を登録すると、Ｂ−ＣＡＳカード２００に固有のマスター鍵Ｋｍによって暗号化されたＥＭＭが放送波に載せて放送されるようになる。Ｂ−ＣＡＳカード２００は、ＥＭＭの先頭に付けて送信されるＩＤを参照して自機宛てのＥＭＭを特定し、マスター鍵Ｋｍを用いてＥＭＭを復号化することにより、テレビジョン１００のユーザーの関連情報ＲＩを取得する。
【００３４】
次に、Ｂ−ＣＡＳカード２００の機能について説明する。Ｂ−ＣＡＳカード２００は、ＩＣチップの内部にＣＰＵ，ＲＯＭ，記憶媒体２００ａを備えたＩＣカードの構成であり、テレビジョン１００から供給される電源で動作する。Ｂ−ＣＡＳカード２００は、現在受信中の番組の視聴を許可するか否かを判断する条件判断機能と、この条件が成立したときにスクランブル解除用のスクランブル鍵Ｋｓをテレビジョン１００のＣＡデスクランブラ３２に渡す機能とを有している。
【００３５】
すなわち、Ｂ−ＣＡＳカード２００は、各番組のそれぞれに付属して送信されてくる番組情報（ＥＣＭ）を取得し、この番組情報に記載されたこの番組の属性情報を取得する。また、Ｂ−ＣＡＳカード２００は、ワーク鍵Ｋｗを用いてＥＣＭを復号してスクランブル鍵Ｋｓを得る。そして、この属性情報を記憶媒体２００ａに記憶されている契約情報ＣＩと比較することにより、番組の視聴を許可するか否かを判断する。
【００３６】
Ｂ−ＣＡＳカード２００は、この属性情報が、契約情報ＣＩにおいて視聴を許可されている属性に合致するときは、その番組の視聴を許可するものとしてスクランブル鍵ＫｓをＣＡデスクランブラに供給し、合致しないときはその番組の視聴を許可しないものとしてスクランブル鍵Ｋｓを供給しない。
【００３７】
ＣＡデスクランブラ３２がＣＡデスクランブルを実行するか否かは、Ｂ−ＣＡＳカード２００が番組の視聴を許可するか否か、すなわち、Ｂ−ＣＡＳカード２００からスクランブル鍵Ｋｓが供給されるか否かに基づいて切り替わる。まず、ＣＡデスクランブラ３２は、番組を受信するときには、番組情報であるＥＣＭ（Entitlement Control Message）を受信して、これをカードスロット３１に装着されているＢ−ＣＡＳカード２００に転送する。
【００３８】
Ｂ−ＣＡＳカード２００がデスクランブルを許可してＣＡデスクランブラ３２にスクランブル鍵Ｋｓを供給すると、ＣＡデスクランブラ３２は、スクランブル鍵Ｋｓを用いて対象番組のＴＳを復号する。この復号されたＴＳに対してＭＰＥＧ２デマックス３３がＴＳを各コンポーネントに分離し、映像復号部３４が映像コンポーネントから映像信号を復号し、音声復号部３５が音声コンポーネントから音声信号を復号し、基本データ復号部３６がデータコンポーネントからＥＰＧ等の基本データを復号する。
【００３９】
その結果、画面に映像が表示され、スピーカから音声が出力され、対象番組のＥＰＧやその他の基本データに基づく表示が行われる。なお、後述の実施例の中では、衛星ＳＮのＥＰＧを地デジのＥＰＧの代わりに表示する技術について開示しているが、ここで対象番組のＥＰＧやその他の基本データと言っているのは、地デジの放送波から直接取得した情報のことである。本実施形態では、以上のようにＴＳの複合が可能な状態を指して「鍵開け」がされた状態もしくは「鍵が開いている」と呼ぶ。
【００４０】
一方、Ｂ−ＣＡＳカード２００がデスクランブルを許可せず、ＣＡデスクランブラ３２にスクランブル鍵Ｋｓを供給しないときは、ＣＡデスクランブラ３２は、対象番組のＴＳを復号することができない。従って、ＭＰＥＧ２デマックス３３はＴＳのコンポーネント分離を行えず、映像復号部３４は映像信号を復号できず、音声復号部３５は音声信号を復号できずし、基本データ復号部３６はＥＰＧ等の基本データを復号できない。その結果、画面に映像が表示されず、スピーカから音声が出力されず、対象番組のＥＰＧやその他基本データに基づく表示も行われない。本実施形態では、以上のようにＴＳの複合を行えない状態を指して「鍵閉じ」状態もしくは「鍵が閉じている」と呼ぶ。
【００４１】
その他、図１に示すテレビジョン１００は、ディスプレイ４０と、スピーカ５０と、リモコン６０と、制御部７０とを備えている。本実施形態において、ディスプレイ４０は表示部を構成し、リモコン６０は操作部を構成する。ディスプレイ４０は、デコーダ３０やアナログチューナー２２の出力する映像信号に基づいて不図示のディスプレイドライバーの生成する駆動信号に基づいて画面に映像を表示する。スピーカ５０は、デコーダ３０やアナログチューナー２２の出力する音声信号に基づいて音声を再生する。
【００４２】
図２は制御部の構成の一例を示すブロック図である。同図において、制御部７０は、ＣＰＵと、ＲＡＭと、ＲＯＭ、ＯＳＤ（On Screen Display）部７０ａと、リモコン受信部７０ｂと、内部メール発行部７０ｃと、不揮発性メモリ７０ｄと、を備えている。制御部７０は、ＲＯＭに記憶された制御プログラムを、ＲＡＭをワークエリアとして利用しつつＣＰＵが実行することにより、テレビジョン１００全体を制御する。
【００４３】
不揮発性メモリ７０ｄには、地デジのチャンネルリストＬｇｄ、地アナのチャンネルリストＬｇａ、ＢＳ放送のチャンネルリストＬｂｓ、ＣＳ放送のチャンネルリストＬｃｓ、地デジのＥＰＧ（電子番組表）であるＥＰＧｇｄ、ＢＳ放送のＥＰＧであるＥＰＧｂｓ、ＣＳ放送のＥＰＧであるＥＰＧｃｓ、各系列局に属する放送局の一覧を記録した系列局情報Ｉ１、各地域の地デジで放送される放送局を記録した地域放送局情報Ｉ２、各地域において受信が許可される衛星ＳＮのチャンネルを示す衛星ＳＮ放送局情報Ｉ３、各地域における地デジのワンタッチ選局ボタンに対する放送局割当てを記録した設定テーブルＴ１、地デジのワンタッチ選局ボタンに割り当てられたチャンネルの設定テーブルＴ２、が記録されている。制御部７０は、適宜、不揮発性メモリ７０ｄに記憶された情報を参照しつつ、後述の各処理を実行する。なお、この不揮発性メモリ７０ｄが、本実施例において記憶部を構成する。
【００４４】
図３は、リモコン６０のキー配置を示す外観図である。同図に示すように、リモコン６０は、受信する放送波の種類を切換え選択するための放送波切替キー６１ａ〜６１ｄと、設定画面をディスプレイ４０に表示させるための設定キー６２と、チャンネルをワンタッチで直接に選択したりチャンネル番号を数字入力したりするためのチャンネルキー６３と、チャンネル番号を昇順に切替えて選択するためのチャンネルアップキー６４ａと、チャンネル番号を降順に切替えて選択するためのチャンネルダウンキー６４ｂと、カーソルを移動させたりカーソル位置の設定項目を選択したりするためのカーソルキー６５と、チャンネル番号の入力方法を３桁で数字入力するかワンタッチ選択で入力するかを切換えるためのチャンネル入力方法切換キー６６と、テレビジョン１００をスタンバイ状態とオン状態との間で切換えるための電源キー６７と、ＥＰＧ等の番組表の表示オン／オフを切替える番組表キー６８と、を備えている。
【００４５】
制御部７０は、リモコン受信部７０ｂを介してリモコン６０の出力するリモコン信号を無線や有線で受信している。ユーザーがリモコン６０の各キーを選択する操作を行うと、各キー操作に対応するリモコン信号が制御部７０に入力され、制御部７０は入力されたリモコン信号に対応する制御処理を実行する。
【００４６】
例えば、ユーザーが放送波切替キー６１ａ〜６１ｄの何れかを選択する操作を行うと、制御部７０の制御の下、テレビジョン１００は以下のように動作する。地デジが選択されたときは、地デジのチャンネルリストＬｇｄに登録されているチャンネルのいずれかの映像がディスプレイ４０に表示され、対応する音声がスピーカ５０から出力される。地アナが選択されたときは、地アナのチャンネルリストＬｇａに登録されているチャンネルのいずれかの映像がディスプレイ４０に表示され、対応する音声がスピーカ５０から出力される。Ｂｓ放送が選択されたときは、ＢＳ放送のチャンネルリストＬｂｓに登録されているチャンネルのいずれかの映像がディスプレイ４０に表示され、対応する音声がスピーカ５０から出力される。ＣＳ放送が選択されたときは、ＣＳ放送のチャンネルリストに登録されているチャンネルのいずれかの映像がディスプレイ４０に表示され、対応する音声がスピーカ５０から出力される。
【００４７】
制御部７０のＯＳＤ部７０ａは、映像復号部３４やアナログチューナー２２の出力した映像信号に、任意の文字や映像のＯＳＤ信号を重畳することにより、任意の文字や映像をディスプレイ４０に表示させることができる。内部メール発行部７０ｃは、ユーザーに通知すべきメッセージを作成したり発行したり保存したりする。内部メール発行部７０ｃは、内部メールを発行すると、内部メールをディスプレイ４０に表示させたり、内部メールが発行されたことをユーザーに通知する表示をディスプレイ４０に行ったりする。制御部７０は、これらＯＳＤ部７０ａや内部メール発行部７０ｃを制御して、ディスプレイ４０の画面にメッセージや画像を表示させる表示制御部としての機能を実現する。
【００４８】
なお、以上の説明においては、マンマシンインターフェースとしてのディスプレイやスピーカを内蔵していて単独でテレビ放送を視聴可能なテレビジョンを例にとって説明したが、むろん、受信機能だけを備えた、いわゆるセットトップボックスのような装置であっても本発明の一態様とすることができることは言うまでもない。また、家電製品などの電気機器や電子機器に、本発明にかかる放送信号受信装置の受信機能を組み込んだものであっても、本発明の一態様とすることができる。
【００４９】
（２）視聴環境設定の実施例１： 
本実施例１は、テレビジョン１００の初期設定であり、この初期設定により衛星ＳＮの受信対象者で鍵開け済みのユーザについては衛星ＳＮの視聴環境を改善し、衛星ＳＮの受信対象者で鍵開けがされていないユーザについては後述の各実施例により衛星ＳＮの視聴環境を改善する余地を残し、衛星ＳＮの受信対象外のユーザについては衛星ＳＮに関する機能により視聴環境を悪化させないようにする。なお、他の実施例においては、それぞれ実施例１とは異なる状況を想定した処理を提案しており、この実施例１は、他の実施例と適宜組合せて実施することも可能である。
【００５０】
図４は、実施例１にかかる初期チャンネル設定処理の流れを示すフローチャートである。同図に示す処理は、テレビジョン１００の差込電源プラグを電源のコンセントに接続して電源が最初に投入されたとき、すなわち電源キー６７によって最初にテレビジョン１００がオンされたときに制御部７０が実行する。処理が開始されると、まず、Ｂ−ＣＡＳカード２００がカードスロット３１へ装着されているかを確認する（Ｓ１００）。Ｂ−ＣＡＳカード２００の装着を確認できないときは（Ｓ１００：ＮＯ）、Ｂ−ＣＡＳカード２００の装着を促すメッセージをＯＳＤ等によりディスプレイ４０に表示する（Ｓ１０５）。
【００５１】
図５は、Ｂ−ＣＡＳカード２００の装着を促すメッセージの一例である。同図に示すメッセージは、Ｂ−ＣＡＳカード２００の装着を確認するまで表示され続ける。すなわち、所定時間置きにＢ−ＣＡＳカード２００の装着の確認を行いつつ、Ｂ−ＣＡＳカード２００の装着を促すメッセージの表示を継続するか否かを判断する（Ｓ１００，Ｓ１０５）。Ｂ−ＣＡＳカード２００の装着を確認できると（Ｓ１００：ＹＥＳ）、初期設定を開始することをＯＳＤ等でディスプレイ４０に表示することによりユーザーに通知する
【００５２】
図６は、初期設定の開始をユーザーに通知するメッセージの一例である。このメッセージの中で、図６の「次へ」をユーザーがカーソルキー６５で選択操作すると、初期設定の開始をユーザーが確認したものと判断してステップＳ１１０へ進む。なお、このステップで確認しているＢ−ＣＡＳカード２００のカードスロット３１への装着は、本実施例において衛星ＳＮの受信条件の１つを構成する。
【００５３】
次に、ＢＳ放送の放送波を受信可能か否かを判断する（Ｓ１１０）。この判断によれば衛星受信アンテナＡｓの角度調整が正しく行われてるかの判断や、コンバーターＣとテレビジョン１００の衛星ＩＦ１０とが接続ケーブルで正しく接続されているかの判断を行うことができる。ＢＳ放送の放送波を受信できないときは（Ｓ１１０：ＮＯ）、ＢＳ放送の放送波を受信できないことを通知するメッセージをＯＳＤ等によりディスプレイ４０に表示する（Ｓ１１５）。ＢＳ放送の放送波を受信できたときは（Ｓ１１０：ＹＥＳ）、ステップＳ１２０に進む。なお、ＢＳ放送を受信できたときは、ＢＳ放送のチャンネルリストＬｂｓも同時に作成して不揮発性メモリ７０ｄに記憶する。
なお、本ステップで確認しているＢＳ放送の放送波を受信可能性は、本実施例において衛星ＳＮの受信条件の１つを構成する。
【００５４】
次に、衛星ＳＮが放送中であるか否かを判断する（Ｓ１２０）。例えば、ステップＳ１１０において衛星ＳＮを放送予定のチャンネルに衛星ＳＮの放送波を検出していれば、衛星ＳＮが放送中であると判断できるし、そうでなければ衛星ＳＮは放送されていないと判断できる。なお、ＡＲＩＢ（Association of Radio Industries and Businesses）規格では、衛星ＳＮはＢＳ放送の２９１ｃｈ〜２９８ｃｈ（２９３ｃｈは空き）が割当てられており、これらチャンネルに放送波を検出されれば衛星ＳＮが放送されていると判断できる。このように、衛星ＳＮの放送波の有無を実際に判断することにより、衛星ＳＮの放送が無いときに衛星ＳＮに特化した初期設定をスキップすることが可能であり、放送期間の延長・短縮に適切に対応できる。
【００５５】
一方、ステップＳ１２０で衛星ＳＮが検出されないということは、衛星ＳＮの放送期間が終了した場合、一時的に衛星ＳＮが受信できない場合、衛星ＳＮが開始されていない場合が考えられるが、衛星ＳＮの放送が開始されていない場合については他の実施例で対応することができる。そこで、実施例１では前の２つの場合を考慮した対応として、地デジのチャンネルスキャンを行う（Ｓ１７５）。
【００５６】
衛星ＳＮが放送中である場合は、次に、衛星ＳＮの鍵開けが終了しているか否かを判断する（Ｓ１２５）。この判断は、例えば、Ｂ−ＣＡＳカード２００に問い合わせたり、実際に衛星ＳＮのチャンネルを受信してＴＳが復号されるか判断したりすることにより確認できる。衛星ＳＮの鍵開けが終了している場合は（Ｓ１２５：ＹＥＳ）、ステップＳ１４０に進み、衛星ＳＮの鍵開けが終了していない場合は（Ｓ１２５：ＮＯ）ステップＳ１３０に進む。なお、このステップＳ１２５で確認している衛星ＳＮの鍵開けの終了は、衛星ＳＮの受信対象者であるかを判断する衛星ＳＮの受信条件の１つを構成する。
【００５７】
ステップＳ１３０では、衛星ＳＮの受信対象者であるか否かを判断する。これは、ユーザーに対する問合せにより行われる。図７は、この問合せメッセージの一例を示す図である。すなわち、ユーザーが総務省のホワイトリストに名前が載っているか否かをユーザーの自己申告により判断する。ユーザーがカーソルキー６５等を操作して「ＹＥＳ」を選択すると（Ｓ１３０：ＹＥＳ）ステップＳ１３５に進み、「ＮＯ」を選択するとステップＳ１６５に進む。なお、このステップＳ１３０で確認している衛星ＳＮの受信対象者であるかの判断は、衛星ＳＮの受信条件の１つを構成する。
【００５８】
ステップＳ１３５では、ＢＳ放送の鍵開け並びに衛星ＳＮの鍵開けを試みる。なお、ここでは、ユーザーのＥＭＭが放送波で送信されていないこともあることから、所定のタイムアウト時間が経過すると、鍵開け出来たときも出来なかったときも、このステップの鍵開け処理は終了してステップＳ１４０に進む。
【００５９】
一方、ステップＳ１６５に進むと、ＢＳ放送のチャンネルリストＬｂｓやＥＰＧｂｓに衛星ＳＮが表示されないようにする。本実施例１では、ＢＳ放送のチャンネルリストＬｂｓから衛星ＳＮのチャンネルを除外することにより、これを実現する。
【００６０】
また、地デジのチャンネルスキャンを行い（Ｓ１７０）、地デジのチャンネルリストＬｇｄを作成して不揮発性メモリ７０ｄに記憶し、地デジの各チャンネルを地デジのワンタッチ選局ボタンに割当てる。地デジのワンタッチ選局ボタンとは、放送波切替キー６１ａ〜６１ｄで地デジが選択されていて、チャンネル入力方法切換キー６６でワンタッチ選択が選択されているときのチャンネルキー６３であり、１ボタンに１チャンネルが１対１で対応付けられているため、何れかのボタンを操作すると、そのボタンに対応付けられた１チャンネルを選局することができる。
【００６１】
以上のステップＳ１６５、Ｓ１７０の処理が行われることにより、受信対象外のユーザーのテレビジョンでＢＳ放送のチャンネルリストＬｂｓに衛星ＳＮが登録されなくなるため、受信対象外のユーザーが衛星ＳＮを誤受信するおそれがない。また、受信対象外のユーザーのテレビジョンでは、衛星ＳＮのＥＰＧが取得されないため、受信対象外のユーザーのテレビジョンに衛星ＳＮのＥＰＧが表示されるおそれがない。
【００６２】
ステップＳ１４０では、再び、衛星ＳＮの鍵開けが終了しているか否かを判断する。ステップＳ１３５でタイムアウトしている場合があるためである。ここで、衛星ＳＮの鍵開けが終了している場合は（Ｓ１４０：ＹＥＳ）、ステップＳ１４５に進み、衛星ＳＮの鍵開けが終了していない場合は（Ｓ１４０：ＮＯ）、初期設定を終了する。
【００６３】
ステップＳ１４５では、衛星ＳＮのチャンネルを地デジのワンタッチ選局ボタンに割り当てるか否かをユーザーに問合せる。図８は、この問合せ画面の一例である。ここでユーザーが「ＹＥＳ」を選択するとステップＳ１５０に進み（Ｓ１４５：ＹＥＳ）、ユーザーが「ＮＯ」を選択すると、その後のステップＳ１５０〜Ｓ１６０を実行することなく初期設定を終了する（Ｓ１４５：ＮＯ）。従って、ステップＳ１４５で「ＮＯ」が選択されたときは、衛星ＳＮは３桁番号選局やチャンネルアップダウンキーでの選局を行うことになるし、ＢＳ放送のＥＰＧｂｓの中に衛星ＳＮのＥＰＧも一緒に表示されることになる。また、地デジのワンタッチ選局ボタンには、衛星ＳＮのチャンネルも地デジのチャンネルも割り当てられない。
【００６４】
ステップＳ１５０では、地デジのチャンネルリストＬｇｄに衛星ＳＮのチャンネルを登録し、地デジのワンタッチ選局ボタンの設定テーブルＴ２に衛星ＳＮのチャンネルを割り当てる。具体的な割り当て方としては、ランダムに割り当てたり、割り当てのないワンタッチ選局ボタンに割り当てたりしてもよいが、後述の実施例２のように、衛星ＳＮの末尾番号と一致する番号のワンタッチ選局ボタンに割当てたり、後述の実施例３のように、不揮発性メモリ７０ｄに記憶されている系列局情報Ｉ１と設定テーブルＴ１と地域放送局情報Ｉ２とを参照して、系列関係が地デジの割当て方と一致するように行ったりすることもできる。以上のようにワンタッチ選局ボタンへの割り当てを行うことにより、ユーザーは、地デジ難視地区以外における地デジの局と同一もしくは系列局を、地デジのワンタッチ選局ボタンで選局できるようになる。
【００６５】
また、ステップＳ１５０では、衛星ＳＮのＥＰＧを取得して、地デジのＥＰＧｇｄとして保存・表示するように変更する。従って、ユーザーが地デジのＥＰＧｇｄを表示させるようにリモコン６０を操作すると、ディスプレイ４０には衛星ＳＮのＥＰＧが代替表示される。よって、地デジ難視地区以外のユーザーの地デジ視聴環境とほぼ同等の視聴環境を地デジ難視地区のユーザーに提供することができる。
【００６６】
ステップＳ１５５では、ＢＳ放送のチャンネルリストから衛星ＳＮのチャンネルから除外するか否かをユーザーに問合せる。図９は、この問合せ画面の一例である。図９に示す画面では、ユーザーが「ＹＥＳ」を選択するとステップＳ１６０に進み（Ｓ１５５：ＹＥＳ）、ユーザーが「ＮＯ」を選択すると、その後のステップＳ１６０を実行することなく初期設定を終了する（Ｓ１５５：ＮＯ）。
【００６７】
一方、ステップＳ１５５で「ＹＥＳ」が選択されたときは、ステップＳ１１０で作成されたＢＳ放送のチャンネルリストＬｂｓから衛星ＳＮのチャンネルを除外する（Ｓ１６０）。このように、ＢＳ放送のチャンネルリストＬｂｓから衛星ＳＮを除外することにより、衛星ＳＮのＥＰＧはＢＳ放送のＥＰＧとして取得されず、ＢＳ放送のＥＰＧｂｓの中に衛星ＳＮのＥＰＧが表示されることも無い。すなわち、地デジ難視地区外での衛星放送の視聴環境とほぼ同等の視聴環境を、地デジ難視地区のユーザーに提供することができる。なお、ステップＳ１５５で「ＮＯ」が選択されたときは、ＢＳ放送のＥＰＧｂｓに衛星ＳＮのＥＰＧも一緒に表示される。
【００６８】
その後、必要に応じて、地アナのチャンネルスキャンやＣＳ放送のチャンネルスキャン、その他の初期設定を実行する。むろん、ユーザーの入力した日時情報やＴＳから取得された日時情報を参照して、地アナの放送が完全終了していると判断される場合は、地アナのチャンネルスキャンをスキップするようにしてもよい。
【００６９】
以上のように、本実施例１によれば、地デジとＢＳ放送とを受信可能なテレビジョン１００において、地デジのチャンネルスキャンを行うにあたり、衛星ＳＮの受信条件を満たす場合は、地デジのチャンネルスキャンを行わずに衛星ＳＮのチャンネルスキャンを実行し、取得した衛星ＳＮのチャンネルを、リモコン６０の地デジのワンタッチ選局ボタンに割当てる。従って、地デジのワンタッチ選局ボタンの操作により、衛星ＳＮを選局できるようになる。
【００７０】
このように、一時的な地デジの代替放送である衛星ＳＮのチャンネルを、地デジのワンタッチ選局ボタンに対応付けることにより、衛星ＳＮを受信可能なユーザーにとって使い勝手が向上する。一方、衛星ＳＮの受信条件を満たさないときには、通常通りに地デジのチャンネルスキャンの結果を地デジのワンタッチ選局ボタンに割当てるため、衛星ＳＮを受信できないユーザーにとって視聴環境が低下することがない。また、通常であればユーザーが視聴しない深夜などの時間帯に地デジのＥＰＧｇｄの取得が実行されるが、衛星ＳＮを地デジのチャンネルリストＬｇｄに登録した場合は衛星放送のＳＩ（Service Information）から一括してＥＰＧを取得できるため地デジのＥＰＧｇｄの取得処理を実行せず、省エネ効果がある。
【００７１】
（３）視聴環境設定の実施例２： 
本実施例２は、上記実施例１の初期設定中に衛星ＳＮの鍵開けが完了せず、後日、衛星ＳＮの鍵が開く場合に対応する。また、ユーザーが初期設定の中で何らかの原因（ワンタッチ選局ボタンへの割当てやＢＳ放送のチャンネルリストＬｂｓからの衛星ＳＮの除外を選択しなかった場合（Ｓ１４５：ＮＯ，Ｓ１５５：ＮＯ）を除く）により衛星ＳＮの視聴環境設定が完了しなかった場合にも対応する。なお、本実施例２では、図４のステップＳ１００〜Ｓ１１５の判断処理は、予め完了しているものとして説明を行うが、むろん、これらの処理を組合せて実行してもよい。
【００７２】
図１０は、鍵開けを監視する監視処理の流れを示すフローチャートである。同図に示す処理は、上述した原因により初期設定が完了しなかった場合に、制御部７０が実行する。
図１０の処理が開始されると、まず、鍵開けの有無を判断する（Ｓ２００）。制御部７０は、ＣＡデスクランブラ３２で衛星ＳＮのチャンネルが復号できるようになったかを監視しており、衛星ＳＮが鍵開けされるとこれを検知する（Ｓ２００：ＹＥＳ）。なお、鍵開けを検知するまでは、定期的に更新状況の監視を繰り返す（Ｓ２００：ＮＯ）。
【００７３】
次に、制御部７０は、衛星ＳＮが鍵開けされたこと及び衛星ＳＮの視聴環境を改善するための設定が可能になったことをユーザーに通知する（Ｓ２０５）。例えば、地デジのテレビジョンに一般に搭載されている内部メール発行部７０ｃに、図１２に示すような内部メールを発行させる。むろん、他の手法でユーザーに通知しても構わない。
【００７４】
図１２は、衛星ＳＮの鍵明けをユーザに通知するメッセージの一例である。なお、本実施例２は、衛星ＳＮが鍵開けされたことを検知したときに通知を行うことから、テレビジョン１００のユーザーは衛星ＳＮの受信条件を満たしていると考えられるが、念のため、図１２では、衛星ＳＮが地デジ難視地区の在住者であって総務省のホワイトリストに名前が記載されたユーザー向けのサービスであることを併せて通知している。
【００７５】
また、制御部７０は、上記通知を行うとともに衛星ＳＮの視聴環境を良好にする設定手段をユーザーに提供する（Ｓ２１０）。本実施例２では、チャンネル設定にかかる設定メニューの１設定項目として、この設定手段を提供している。図１３は、衛星ＳＮの鍵開け前のチャンネル設定メニューの一例であり、図１４は、衛星ＳＮの鍵開け後のチャンネル設定メニューの一例である。これらの図からわかるように、鍵開け前の図１３には「衛星ＳＮ」の設定項目が無いが、鍵開け後の図１４には「衛星ＳＮ」の設定項目が追加されている。
【００７６】
ユーザーが「衛星ＳＮ」の設定項目をカーソルキー６５等で選択操作すると、制御部７０がこれを検知し、図１１に示す設定処理を開始する。図１１は、本実施例２にかかる視聴環境設定処理の流れを示すフローチャートである。図１１に示す処理は、設定メニューから所定の設定項目をユーザーが選択したときに制御部７０が実行する。
【００７７】
まず、ユーザは、設定メニューの中の複数の設定項目の中から「衛星ＳＮ」を選択して的に実行する。従って、制御部７０は、設定処理の中でステップＳ３００に示す「衛星ＳＮ」の設定の実行が選択されたか否かを判断し、「衛星ＳＮ」が選択されたときにステップＳ３０２〜Ｓ３２０の処理へ進み、他の設定項目が選択されたときは各設定項目に対応する処理を実行する、という判断分岐を行う。
ステップＳ３０２〜Ｓ３２０の処理へ進むと、制御部７０は、衛星ＳＮのチャンネルスキャンを実行する（Ｓ３０２）。そして、衛星ＳＮのチャンネルスキャンが終了すると、本設定によって行われる変更内容をユーザーに確認する（Ｓ３０５）。
【００７８】
図１５は、ステップＳ３０５で表示される確認メッセージの一例である。同図に示すように、ＢＳ放送のチャンネルリストから衛星ＳＮが除かれることや衛星ＳＮを地デジ扱いとして登録する旨のメッセージが表示され、「ＹＥＳ」と「ＮＯ」が選択可能に表示される。ユーザーが「ＹＥＳ」を選択すると設定変更を了承したものと判断して（Ｓ３１０：ＹＥＳ）ステップＳ３１０に進み、ユーザーが「ＮＯ」を選択すると設定変更を了承しなかったものと判断して（Ｓ３１０：ＮＯ）ステップＳ３３０に進む。
【００７９】
なお、図１５のメッセージでは、「関東の７局の放送局を地デジの視聴できない世帯に再送信する」となっているが、実際には、各ユーザーが衛星ＳＮによって視聴することのできる局数は地域ごとに異なる。従って、図１５で示すメッセージは、不揮発性メモリ７０ｄに記憶されている衛星ＳＮ放送局情報Ｉ３を参照して適宜に変更されるようにしてもよい。すなわち、テレビジョン１００の設置された地域で放送される衛星ＳＮの放送局数に併せて、図１５のメッセージで表示する局数を適宜変更する。むろん、放送される最大数が７局であることから、「最大７局」と表示しても構わない。
【００８０】
ステップＳ３１０においてユーザーが衛星ＳＮを地デジ扱いで登録しないことを選択すると、衛星ＳＮのチャンネルを、ＢＳ放送のチャンネルリストＬｂｓに登録する（Ｓ３３０）。すると、実施例１で行われた「ＢＳのチャンネルリストから衛星ＳＮのチャンネルを除外する」という設定は解除され、衛星ＳＮはＢＳ放送のチャンネルの一部として扱われるようになる。その結果、放送波切替キー６１ａ〜６１ｄによってＢＳ放送が選択されたときは、チャンネルアップダウンや３桁番号選局によって衛星ＳＮのチャンネルを選局できるようになる。また、ＢＳ放送のＥＰＧｂｓの一部として衛星ＳＮのＥＰＧが表示されるようになる。
【００８１】
一方、ステップＳ３１０においてユーザーが衛星ＳＮを地デジ扱いで登録することを選択すると、衛星ＳＮのチャンネルは地デジのチャンネルリストＬｇｄに登録され、地デジのワンタッチ選局ボタンの設定テーブルＴ２に登録される（Ｓ３１５）。本実施例２では、衛星ＳＮの各チャンネルは、末尾番号と同じ番号のワンタッチ選局ボタンに割り当てる。衛星ＳＮのチャンネルの末尾番号は、関東の地デジのワンタッチ選局ボタンの番号に一致するからである。
【００８２】
地デジのワンタッチ選局ボタンへのチャンネル割当てが終了すると、ＢＳ放送のチャンネルリストＬｂｓから衛星ＳＮのチャンネルを除外するとともに、衛星ＳＮのＥＰＧを地デジのＥＰＧｇｄとして保存・表示するように変更する（Ｓ３２０）。この処理により、ＢＳ放送のＥＰＧｂｓの中に衛星ＳＮのＥＰＧが表示されることが無くなり、ユーザーが地デジのＥＰＧｇｄを表示させたときに、衛星ＳＮのＥＰＧが代替表示される。よって、地デジを受信したときと、ほぼ同等の視聴環境がユーザーに提供される。
【００８３】
なお、本実施例２は、衛星ＳＮでの各局間で鍵開けに時間差が生じた場合にも、ステップＳ２００が実行されて、その都度内部メールによって通知される。従って、ユーザーは、チャンネル設定の「衛星ＳＮ」を、その都度選択して上記ステップＳ３０２〜Ｓ３２０を実行することにより、新たな局も含めて地デジのワンタッチ選局ボタンに対応付けることができる。
【００８４】
以上説明したように、実施例２によれば、少なくとも地デジとＢＳ放送とを受信可能なテレビジョン１００において、制御部７０は、衛星ＳＮの鍵開けを検知するとユーザーにその旨を通知し、衛星ＳＮの鍵開けが検知されると衛星ＳＮのチャンネルスキャンを実行し、このチャンネルスキャンによって取得した衛星ＳＮの各チャンネルをリモコン６０の地デジのワンタッチ選局ボタンに割り当てる。よって、電源投入直後の初期設定では衛星ＳＮに関する視聴環境改善処理が完了できなかった場合でも、衛星ＳＮの鍵開けを検知したことをトリガーとして、ユーザーの選択により視聴環境を改善する設定処理を実行できるようになる。
【００８５】
（４）視聴環境設定の実施例３： 
本実施例３は、上述した実施例２と同様に、上述した実施例１に説明した初期チャンネルスキャン処理において衛星ＳＮの鍵開けができなかった場合を想定したものであり、後日、衛星ＳＮの鍵が開いた場合に対応するものである。本実施例３においては、上述した実施例２と同様に図１０に示す監視処理を実行し、鍵開けの監視とその通知および鍵開け後の設定メニューの変更を行う。
その後、本実施例３においては、上述した実施例２の図１１に示す設定処理とほぼ同様の設定処理を実行する。
ただし、本実施例３で実行する設定処理は、上述した実施例２とは異なり、地デジのワンタッチ選局ボタンに衛星ＳＮのチャンネルを割り当てる処理とワンタッチ選局ボタンの割当て一覧を表示する処理とにおいて放送局の系列関係を考慮したものとなっている。
【００８６】
図１６は、本実施例３にかかる監視処理の流れを示すフローチャートである。同図において、図１１と同一の処理（Ｓ３００〜Ｓ３１０、Ｓ３２０、Ｓ３３０）については図１１と同じステップ番号を付して説明を省略する。図１６においてユーザーが変更を了承すると（Ｓ３１０：ＹＥＳ）、テレビジョン１００が設置されている地域の特定と、その地域の地デジの放送局の系列関係を特定する（Ｓ４１５）。
【００８７】
図１７は、地域を特定するための画面の一例である。同図においては、居住地域をユーザーが選択出来るようになっており、ユーザーは、カーソルキー６５を操作することにより居住地域を選択し、その後、「次へ」を選択操作することにより居住地を特定する。このようにしてユーザによって入力された居住地が、テレビジョン１００の設置されている地域と特定される。この図１７のように、地域を特定するための画面をディスプレイ４０に表示して、ユーザーから地域の入力を受付ける処理を実行する制御部７０が、本実施例において地域入力部を構成する。
【００８８】
次に、特定された地域における、地デジの放送局の系列関係を特定する。具体的には、地域放送局情報Ｉ２を参照することにより上記特定された地域における地デジの放送局を特定し、設定テーブルＴ１を参照することにより地デジの各ワンタッチ選局ボタンにどの放送局が割当てられるかを特定し、系列局情報Ｉ１を参照することによりテレビジョン１００の設置された地域における各ワンタッチボタンの放送局の系列関係を特定する。
【００８９】
以上のようにして地域と系列関係とが特定されると、制御部７０は、衛星ＳＮの各チャンネルを、その地域の地デジの放送局と系列関係が一致するように、地デジのワンタッチ選局ボタンに割当てていく（Ｓ４２０）。そして、地デジのワンタッチ選局ボタンへのチャンネル割当てが終了すると、この割当て結果をディスプレイ４０に表示する（ｓ４２５）。
【００９０】
図１８は、チャンネル割当て結果の表示の一例である。同図では、リモコンのチャンネルキー６３の番号と、衛星ＳＮのチャンネル番号と、衛星ＳＮの放送局名と、地域の系列局名と、を対応付けて表示している。同図においては、衛星ＳＮの放送局と地域の系列局との、系列関係が一致している。すなわち、ユーザーは、地デジのワンタッチ選局ボタンを利用した選局において地デジのチャンネルを選択するときの操作と同じ操作で、衛星ＳＮの系列局のチャンネルを選択できることを、この表示をみることで認識できる。
【００９１】
なお、初期のチャンネル設定処理においてユーザが予め居住地域を入力している場合は、ステップＳ４１５の地域の入力を省略し、予め入力済みの地域情報を利用してワンタッチ選局ボタンへの割当てを行ってもよい。この場合は、図１９に示すようにチャンネルの割当て結果を先に表示してユーザに確認してもよい。図１９に示す画面では、「ＹＥＳ」が選択されると初期設定されていた地域に基づいてステップＳ４２０が実行される。この場合、ステップＳ４２５の確認画面の表示は省略することもできる。一方、ユーザが初期設定したときから居住地域を変更したいときは、図１９で「ＮＯ」が選択する。すると、図１７が表示され、ステップＳ４１５〜Ｓ４２５が実行されることになる。
【００９２】
なお、衛星ＳＮの各放送局の間で鍵開けに時間差が生じた場合には、実施例２と同様に、鍵開けが行われるたびにステップＳ２００が実行される。従って、鍵開けがなされる都度、内部メールによって衛星ＳＮの鍵開けが通知される。ユーザーは、鍵開けが通知されると、その都度、チャンネル設定の「衛星ＳＮ」を選択し、新たに鍵開けされた放送局も含めて地デジのワンタッチ選局ボタンへの割当て等の処理を行うことが出来る。
【００９３】
以上説明した実施例３においては、少なくとも地デジとＢＳ放送とを受信可能なテレビジョン１００において、地域と各地域における地上デジタル放送の放送局と地デジ難視対策衛星放送の放送局との対応関係を記憶した不揮発性メモリ７０ｄを備えることにより、制御部７０は、衛星ＳＮの受信条件を満たす場合に衛星ＳＮのチャンネルスキャンを実行し、テレビジョン１００の設置されている地域の入力を受付け、入力された地域において地デジの各チャンネルを対応付けるべきリモコン６０のワンタッチ選局ボタンに、上記対応関係に基づいて、上記チャンネルスキャンによって取得された衛星ＳＮの各チャンネルを、それぞれ対応付けることができる。よって、上述した実施例１，２と同様の効果に加えて、各地域の地デジとほぼ同様のチャンネル操作感をユーザーに提供し、視聴設定をさらに改善することができる。
【００９４】
（５）視聴環境設定の実施例４： 
上述した実施例２や実施例３では、地デジで受信可能なチャンネルと衛星ＳＮで受信可能なチャンネルとが混在する状況を想定していなかった。すなわち、実施例２や実施例３の対応では、地デジのワンタッチ選局ボタンには、チャンネルが全く割当てられない状態と、地デジのチャンネルのみが割当てられている状態と、衛星ＳＮのチャンネルのみが割当てられている状態とのいずれかしか実現できない。
【００９５】
そこで、本実施例４は、初期チャンネルスキャンで地デジの放送局の一部を受信して地デジのワンタッチ選局ボタンの一部に地デジのチャンネルを割当てた場合や、初期チャンネルスキャンの後に行った地デジのチャンネルスキャンで地デジの放送局の一部を検出してワンタッチ選局ボタンへの割当てを行った場合等に対応できるようにする。すなわち、本実施例４では、いずれかのタイミングで地デジの放送局の一部を受信できており、その後に鍵の開いた衛星ＳＮにより残りの地デジの放送局をカバーする手段を提供する。
【００９６】
なお、このような地デジで受信可能なチャンネルと衛星ＳＮで受信可能なチャンネルとが混在する状況は、初期スキャンで衛星ＳＮを受信できていて、その後、地デジの一部を受信できるようになったことにより衛星ＳＮの一部の鍵が閉じた場合にも起こりえるが、この状況については後述の実施例５で対応するため、ここでは考慮しない。
【００９７】
本実施例４では、実施例３と同様の監視処理と設定処理を実行する。ただし、本実施例４では、上記実施例３と異なり、地デジのワンタッチ選局ボタンに、地デジの放送局と衛星ＳＮの放送局とが混在した状態で割当てられる状況が発生する。そこで、ステップＳ４２０、Ｓ４２５の処理を次のように変更する。
【００９８】
まず、ステップＳ４２０では、衛星ＳＮのチャンネルスキャンによって発見されたチャンネルのみを地デジのワンタッチ選局ボタンに割り当てる。このとき、他のワンタッチ選局ボタンに割り当てられている地デジのチャンネルについてはそのままにしておく。その結果、地デジ難視地区において本来であれば受信されるべき地デジの放送局の中の一部の地デジのチャンネルが地デジのワンタッチ選局ボタンに割り当てられつつ、その他の、ワンタッチ選局ボタンには、衛星ＳＮのチャンネルが割り当てられる。よって、地デジと衛星ＳＮの混在した状態に最適なチャンネル割り当てを実現することができる。
【００９９】
そして、地デジのワンタッチ選局ボタンへのチャンネル割当てが終了すると、この割当て結果をディスプレイ４０に表示する（Ｓ４２５）。このステップＳ４２５においては、図２０の画面が表示される。
【０１００】
図２０は、実施例４にかかるチャンネル割当て結果の表示画面の一例である。同図では、リモコンのチャンネルキー６３の番号と、衛星ＳＮのチャンネル番号と、衛星ＳＮの放送局名と、地域の系列局名と、を対応付けて表示し、加えて、各放送局の放送波の種別をＮＷとして対応させて表示している。同図では、ＮＨＫ総合とＮＨＫ教育の２局を地デジで受信し、その他の５局を衛星ＳＮで受信している。従って、ＮＨＫ総合とＮＨＫ教育は対応する地域系列局の表示が無く、他の５局のみ地域系列局の表示がある。さらに、ＮＨＫ総合とＮＨＫ教育のＮＷの欄には地デジと表示され、他の５局のＮＷの欄には衛星ＳＮと表示されている。
【０１０１】
このように、チャンネル割当て結果を表示する際に、放送波の種別を各チャンネルに対応させて表示することにより、地デジと衛星ＳＮを組合せて地デジと同様の受信環境を提供しつつ、地デジの放送波に基づいて表示されるチャンネルと衛星ＳＮの放送波に基づいて表示されるチャンネルとを、容易に区別することができる。なお、この図２０のようなＮＷも含めた表示は、設定メニューなどから地デジのチャンネルリストを呼び出して表示する際に行うこともできる。チャンネルリストの表示時にＮＷも含めて表示することにより、ユーザは容易に割り当てられているチャンネルの放送波の種別を認識できる。
【０１０２】
以上説明した実施例４によれば、少なくとも地デジとＢＳ放送とを受信可能なテレビジョン１００において、地デジのワンタッチ選局ボタンを備えており、地デジ難視地区でなければ地デジとして受信されるはずのチャンネルの一部がワンタッチ選局ボタンに対応付けられているリモコン６０と、衛星ＳＮの鍵開けを検知すると、衛星ＳＮのチャンネルスキャンを実行し、当該チャンネルスキャンによって取得した衛星ＳＮのチャンネルを、地デジのチャンネルが対応付けられていないワンタッチ選局ボタンに対応付ける制御部７０と、を備え、ワンタッチ選局ボタンの各ボタンへ対応付けた放送波の種別をディスプレイ４０に表示する。よって、地デジと衛星ＳＮの混在した状況であっても、適切な視聴環境を提供することができる。
【０１０３】
（６）視聴環境設定の実施例５： 
本実施例５は、上述した実施例４と同様に、地デジの一部を受信しつつ残りの地デジを衛星ＳＮでカバーする場合である。また、衛星ＳＮを受信できる状態から、後日、衛星ＳＮの鍵が閉じて受信できなくなる場合も想定している。なお、衛星ＳＮの鍵が閉じる場合には、地デジが受信できるように受信環境が改善されているものとする。
【０１０４】
図２１は、実施例５にかかる監視処理の流れを示すフローチャートである。同図に示す処理は、少なくとも１つの衛星ＳＮの放送局を受信しているときに、制御部７０が繰り返し実行する。処理が開始されると、まず、鍵閉じの有無を判断する（Ｓ５００）。制御部７０は、ＣＡデスクランブラ３２で衛星ＳＮのチャンネルが復号できなくなったか監視しており、衛星ＳＮの鍵が閉じるとこれを検知する（Ｓ５００：ＹＥＳ）。なお、鍵開けを検知するまでは、定期的に更新状況の監視を繰り返す（Ｓ５００：ＮＯ）。
【０１０５】
鍵閉じを検知すると（Ｓ５００：ＹＥＳ）、衛星ＳＮの一部もしくは全部の鍵が閉じたことをユーザーに通知する（Ｓ５０５）。
図２３は、鍵閉じを通知するメッセージの一例である。同図に示すメッセージは、内部メールによって通知されている。同図では、地デジのワンタッチ選局ボタンの「４」と「６」に対応付けれていた衛星ＳＮの鍵が閉じたことと、これら鍵の閉じた衛星ＳＮの放送局を地デジで受信できる環境が整ったことを通知し、その上で、地デジのチャンネルスキャンを行うようにユーザに促している。図２３のメッセージにおいて、ユーザーが「終了」をカーソルキー６５等により操作すると、ユーザーがメッセージを確認したものと判断する。
【０１０６】
その後、地デジのチャンネルスキャンを実行することになるが（Ｓ５１０）、これは自動で行ってもよいし、ユーザーが手動で行ってもよいし、自動でチャンネルスキャンを行うか否かの設定を行う設定メニューを用意してもよい。
図２４は、自動でチャンネルスキャンを行うか否かの設定画面の一例である。ユーザーは、予め同図に示す設定画面を表示させ、「ＣＨスキャンを実行する」か「ＣＨスキャンを実行しない」の何れかをチェックボックスにより選択して「戻る」を選択することにより、衛星ＳＮの放送終了時にチャンネルスキャンを自動実行するか否かを予め設定しておくことが出来る。
【０１０７】
自動で地デジのチャンネルスキャンを行う場合は、上述の鍵閉じをユーザーが確認すると、地デジのチャンネルスキャンを自動的に開始する（Ｓ５１０）。このチャンネルスキャンが成功すると（Ｓ５１５：ＹＥＳ）、スキャン結果に基づいて地デジのワンタッチ選局ボタンへのチャンネル割り当てを行う（Ｓ５２０）。むろん、本ステップＳ５２０においてチャンネルを割り当てられる地デジのワンタッ選局チボタンは、それまでの割り当てられていた衛星ＳＮのチャンネル割当てを、このときに解除されることになる。
【０１０８】
手動で地デジのチャンネルスキャンを行う場合は、ユーザーが地デジのチャンネルスキャンを指示したときに実行される（Ｓ５１０）。ユーザは、例えば、設定メニューの地デジのチャンネルスキャンの設定項目をカーソルキー６５等により操作することによりチャンネルスキャンを指示することができる。チャンネルスキャンが成功すると（Ｓ５１５：ＹＥＳ）、自動の場合と同様にワンタッチ選局ボタンへのチャンネル割当てを行う（Ｓ５２０）。
【０１０９】
一方、自動、手動のいずれであってもチャンネルスキャンが失敗した場合は（Ｓ５１５：ＮＯ）、通知処理を行う。チャンネルスキャンは、地デジの接続ケーブルが接続されていなかった場合等に失敗する。
【０１１０】
図２２は通知処理の一例を示すフローチャートである。図２２の通知処理は、鍵閉じが検出されてから地デジのチャンネルスキャンが成功するまでの間に、制御部７０によって実行される。従って、この通知処理は、上述のように手動でチャンネルスキャンを行う設定になっているときに、まだチャンネルスキャンを実行されていない場合にも実行される。
通知処理では、まず、割当てられたチャンネルを鍵閉じによって選局できなくなったワンタッチ選局ボタンが操作されたか否かを判断する（Ｓ６００）。チャンネル割当ての無いワンタッチ選局ボタンが操作されると（Ｓ６００：ＹＥＳ）、その旨を通知するメッセージを表示する（Ｓ６１０）。
【０１１１】
図２５は、このメッセージの一例である。同図では、ユーザーの操作したボタンにより、チャンネルが選択されない原因が衛星ＳＮの鍵閉じであることを通知するとともに、地デジのチャンネルスキャンの実行を促している。
【０１１２】
図２５において、ユーザーが「ＹＥＳ」を選択操作すると地デジのチャンネルスキャンが実行され、「ＮＯ」を選択操作すると地デジのチャンネルスキャンが実行される。ここで地デジのチャンネルスキャンが成功すると通知処理は終了する（Ｓ６１５：ＹＥＳ）。一方、地デジのチャンネルスキャンを実行しなかったり失敗したりすると（Ｓ６１５：ＮＯ）、ステップＳ６００〜Ｓ６１５の処理を繰り返し実行する。
【０１１３】
以上説明した実施例５では、少なくとも地デジとＢＳ放送とを受信可能なテレビジョン１００において、地デジのワンタッチ選局ボタンを備えたリモコン６０と、衛星ＳＮの鍵閉じを検知するとその旨をディスプレイ４０に表示し、地デジのチャンネルスキャンを実行し、当該チャンネルスキャンによって取得した地デジのチャンネルをワンタッチ選局ボタンに対応付ける制御部７０と、を備えている。このように構成することにより、受信されていた衛星ＳＮを鍵閉じにより受信できなくなった場合に、スムーズに地デジの放送局を受信できるようになる。従って、衛星ＳＮの鍵閉じと地デジの受信環境の改善によるユーザーへの影響を最小限に止めることができる。
【０１１４】
なお、本発明は上述した各実施例に限られるものでないことは言うまでもない。当業者であれば言うまでもないことであるが、
・上述した各実施例の中で開示した相互に置換可能な部材および構成等を適宜その組み合わせを変更して適用すること
・上述した各実施例の中で開示されていないが、公知技術であって上記実施例の中で開示した部材および構成等と相互に置換可能な部材および構成等を適宜置換し、またその組み合わせを変更して適用すること
・上述した各実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【０１１５】
１０…衛星インターフェース、１１…衛星フロントエンド、２０…地上インターフェース、２１…地上フロントエンド、２２…アナログチューナー、３０…デコーダ、３１…カードスロット、３２…ＣＡデスクランブラ、３３…ＭＰＥＧ２デマックス、３４…映像復号部、３５…音声復号部、３６…基本データ復号部、４０…ディスプレイ、５０…スピーカ、６０…リモコン、６１ａ〜６１ｄ…放送波切替キー、６２…設定キー、６３…チャンネルキー、６４ａ…チャンネルアップキー、６４ｂ…チャンネルダウンキー、６５…カーソルキー、６６…チャンネル入力方法切換キー、６７…電源キー、６８…番組表キー、７０…制御部、７０ａ…ＯＳＤ部、７０ｂ…リモコン受信部、７０ｃ…不揮発性メモリ、７０ｄ…内部メール発行部、１００…テレビジョン、２００…Ｂ−ＣＡＳカード、２００ａ…記憶媒体、Ａｇ…地上受信アンテナ、Ａｓ…衛星受信アンテナ、Ｃ…コンバーター、ＣＩ…契約情報、Ｉ１…系列局情報、Ｉ２…地域放送局情報、Ｉ３…衛星ＳＮ放送局情報、Ｋｍ…マスター鍵、Ｋｓ…スクランブル鍵、Ｋｗ…ワーク鍵、Ｌｂｓ…チャンネルリスト、Ｌｇａ…チャンネルリスト、Ｌｇｄ…チャンネルリスト、ＲＩ…関連情報、Ｔ１…設定テーブル、Ｔ２…設定テーブル
【図１】
2012044466.tif 000003
【図２】
2012044466.tif 000004
【図３】
2012044466.tif 000005
【図４】
2012044466.tif 000006
【図５】
2012044466.tif 000007
【図６】
2012044466.tif 000008
【図７】
2012044466.tif 000009
【図８】
2012044466.tif 000010
【図９】
2012044466.tif 000011
【図１０】
2012044466.tif 000012
【図１１】
2012044466.tif 000013
【図１２】
2012044466.tif 000014
【図１３】
2012044466.tif 000015
【図１４】
2012044466.tif 000016
【図１５】
2012044466.tif 000017
【図１６】
2012044466.tif 000018
【図１７】
2012044466.tif 000019
【図１８】
2012044466.tif 000020
【図１９】
2012044466.tif 000021
【図２０】
2012044466.tif 000022
【図２１】
2012044466.tif 000023
【図２２】
2012044466.tif 000024
【図２３】
2012044466.tif 000025
【図２４】
2012044466.tif 000026
【図２５】
2012044466.tif 000027